(57)【特許請求の範囲】
【請求項１】
無線アクセス・ネットワーク内のアクセス・ノード（１，２００）において、前記アクセス・ノードのセル（４）の特性を移動体端末（３）へ示す方法であって、
前記アクセス・ノードから前記移動体端末へシステム情報メッセージを送信するステップと、
前記システム情報メッセージ内のノード識別子が、前記移動体端末に事前に記憶されている複数のノード識別子の何れかに一致する場合に、前記移動体端末に個別に適用可能なセル固有属性を示すノード識別子列を前記アクセス・ノードから前記移動体端末へ提供するステップとを有することを特徴とする方法。
【請求項２】
前記セル固有属性は、ノード・アイデンティティ・テキスト列と、セル・アイデンティティ・テキスト列と、課金料金表データと、セル性能データと、１以上の他のノード・ユーザへのローカル・スイッチングのようなアプリケーション又はサービス機能とのうちの少なくとも一つを含むことを特徴とする請求項１に記載の方法。
【請求項３】
前記セル性能データはセルのカバレッジのデータを含むことを特徴とする請求項２に記載の方法。
【請求項４】
前記移動体端末からＲＲＣ（無線リソース制御）接続要求メッセージを受信するステップと、
ＲＲＣ接続設定メッセージに前記ノード識別子列を提供するステップと、
前記ＲＲＣ接続設定メッセージを送信するステップと
をさらに有することを特徴とする請求項１乃至３の何れか１項に記載の方法。
【請求項５】
前記セルにおいて周期的に前記システム情報メッセージを同報するステップをさらに有し、
前記同報されたシステム情報メッセージは前記ＲＲＣ接続要求メッセージをトリガするように構成されたことを特徴とする請求項４に記載の方法。
【請求項６】
前記同報されたシステム情報メッセージは所定値のデータ・ビットのようなフラグを含むことを特徴とする請求項４に記載の方法。
【請求項７】
別のセルから前記セルへのハンドオーバ手順の間にハンドオーバ命令メッセージにおいて前記移動体端末へ前記ノード識別子列を提供するステップをさらに有することを特徴とする請求項１乃至３の何れか１項に記載の方法。
【請求項８】
前記ノード識別子列は、前記セルのアクセス・ノードから前記別のセルのアクセス・ノードへのハンドオーバ要求確認メッセージに含めて受信され、その後に前記別のセルのアクセス・ノードから前記移動体端末へ転送されることを特徴とする請求項７に記載の方法。
【請求項９】
無線アクセス・ネットワーク内のセル（４）にアクセスする移動体端末（３）において実装される、前記移動体端末に関する前記セルの特性を示すための方法であって、
前記セルのアクセス・ノード（１，２００）から提供されたシステム情報メッセージを受信するステップと、
前記受信したシステム情報メッセージ内のノード識別子が、前記移動体端末に事前に記憶されている複数のノード識別子の何れかに一致するかを判定するステップと、
前記システム情報メッセージ内のノード識別子が前記複数のノード識別子の何れかに一致する場合に、前記移動体端末に個別に適用可能なセル固有属性を示すノード識別子列を前記アクセス・ノードから取得するステップとを有することを特徴とする方法。
【請求項１０】
前記取得したノード識別子列を前記一致したノード識別子に関連付けるステップと、
前記取得したノード識別子列を前記移動体端末において用いるステップと
をさらに有することを特徴とする請求項９に記載の方法。
【請求項１１】
前記アクセス・ノードからノード識別子列を取得するステップは、前記ノード識別子列を有するＲＲＣ接続設定メッセージを受信するステップを含むことを特徴とする請求項９又は１０に記載の方法。
【請求項１２】
前記システム情報メッセージ内のノード識別子が前記複数のノード識別子の何れかに一致し且つ前記一致したノード識別子に関連付けられたノード識別子列が前記移動体端末に事前に記憶されている場合に、前記事前に記憶されているノード識別子列を前記移動体端末において用いるステップをさらに有することを特徴とする請求項９に記載の方法。
【請求項１３】
前記セル固有属性のうちの少なくとも一つは前記移動体端末で用いるために手動で選択可能であることを特徴とする請求項９乃至１２の何れか１項に記載の方法。
【請求項１４】
通信ネットワーク（１０）において、セルの特性を移動体端末（３）に示すアクセス・ノード（１，２００）であって、
システム情報メッセージを前記移動体端末へ送信し、
前記システム情報メッセージ内のノード識別子が、前記移動体端末に事前に記憶されている複数のノード識別子の何れかに一致する場合に、前記移動体端末に個別に適用可能なセル固有属性を示すノード識別子列を前記移動体端末へ提供する
ように構成されたことを特徴とするアクセス・ノード（１，２００）。
【請求項１５】
ＲＲＣメッセージにおいて前記ノード識別子列を提供するようにさらに構成されたことを特徴とする請求項１４に記載のアクセス・ノード（１，２００）。
【請求項１６】
セルの特性を示すように構成された通信ネットワーク内のアクセス・ノード（１，２００）の前記セル（４）にアクセスする移動体端末（３）であって、
前記アクセス・ノードから提供されるシステム情報メッセージを受信し、
前記受信したシステム情報メッセージ内のノード識別子が、前記移動体端末に事前に記憶されている複数のノード識別子の何れかに一致するかを判定し、
前記システム情報メッセージ内のノード識別子が前記複数のノード識別子の何れかに一致する場合に、前記移動体端末に個別に適用可能なセル固有属性を示すノード識別子列を前記アクセス・ノードから取得する
ように構成されたことを特徴とする移動体端末（３）。
【請求項１７】
前記取得したノード識別子列を前記一致したノード識別子に関連付けることを特徴とする請求項１６に記載の移動体端末（３）。
【請求項１８】
前記移動体端末のユーザ・インタフェースにおいて前記移動体端末に固有のセル属性のうちの少なくとも一つを表示するようにさらに構成されたことを特徴とする請求項１６又は１７に記載の移動体端末（３）。
【請求項１９】
前記移動体端末に固有のセル属性のうちの少なくとも一つを前記端末に適用するようにさらに構成されたことを特徴とする請求項１６乃至１８の何れか１項に記載の移動体端末（３）。
【発明の詳細な説明】
【技術分野】
【０００１】
本発明は通信システムにおける方法及び装置に関し、特に通信システムにおいてネットワーク・ノードの無線セルにアクセスする移動体端末に適用されるセル特性を示す方法及び装置に関する。
【背景技術】
【０００２】
次世代無線アクセス・ネットワークである発展型ユニバーサル地上波無線アクセス・ネットワーク（Ｅ−ＵＴＲＡＮ）についての仕様が３ＧＰＰにおいて進行中である。このコンセプトにおける基地局はｅＮＢ（ｅノードＢ、Ｅ−ＵＴＲＡＮノードＢ）と呼ばれる。限られた数のユーザのために家庭内又は狭い範囲のカバレッジを提供するように適合されたＥ−ＵＴＲＡＮ基地局は本明細書の文脈においてホームｅノードＢ（ＨｅＮＢ）と呼ばれる。
【０００３】
ＨｅＮＢはエンドユーザに対して無線カバレッジを提供し、何らかの種類のＩＰベース伝送を用いて移動体コアネットワークに接続可能である。提供されるカバレッジの範囲は比較的狭い。
【０００４】
ローカル・アクセスを提供するこの方法の利点の一つは、ｅＮＢを介して接続される場合に比較してＨｅＮＢを介して接続される場合に、呼又はトランザクションの低い料金（rate）／課金（charge）を提供することに関する。しかしながら、このことは、個別のＨｅＮＢによりいつカバレッジ及びサービスが提供されるかをエンドユーザに示すという新たな問題又は要求を生成する。
【０００５】
非特許文献１に見られ得るように、ＧＳＭに関する回線交換ネットワークについてローカル・アクセス・サービスを処理する試みが提示されてきている。しかしながら、この解決策はセル内のすべてのユーザに対する全体的なセル固有サービスに関する。
【先行技術文献】
【非特許文献】
【０００６】
【非特許文献１】ＥＴＳＩ標準文書ＴＲ１０．４３Ｖ１．０．０
【発明の概要】
【発明が解決しようとする課題】
【０００７】
本発明は、上述の問題の少なくとも一つを緩和する解決策を提供することを目的とする。
【０００８】
従って、本発明の目的の一つは、通信システムのネットワーク・ノードにおいてノードのセルにアクセスする移動体端末に適用される無線セル特性を示す方法及び装置を提供することである。
【０００９】
さらに、本発明の目的の一つは、通信システムの無線ネットワーク・セルにアクセスする移動体端末における、この端末に関するこのセルの特性を示すための方法及び装置を提供することである。
【課題を解決するための手段】
【００１０】
上記の目的のうちの少なくとも一つは添付の独立請求項に係る方法、ネットワーク・ノード又は移動体端末により実現される。
【００１１】
さらなる目的と利点は従属請求項から明らかである。
【００１２】
本発明の目的は複数の側面で提供され、第１の側面は無線アクセス・ネットワーク内の無線ネットワーク・アクセス・ノードにおいて、アクセス・ノードのセルの特性を無線ネットワーク・アクセス・ノードを通じてセルにアクセスする移動体端末へ示す方法であって、セル内の移動体端末に個別に適用可能なセル固有属性を示すノード識別子列を無線ネットワーク・アクセス・ノードから端末へ提供するステップを有することを特徴とする方法である。
【００１３】
セル属性は、ノード・アイデンティティ・テキスト列と、セル・アイデンティティ・テキスト列と、課金料金表データと、セル性能データと、１以上の他のノード・ユーザへのローカル・スイッチングのようなアプリケーション又はサービス機能とのうちの少なくとも一つを含んでもよい。
【００１４】
本方法は、端末からＲＲＣ（無線リソース制御）接続要求メッセージを受信するステップと、ＲＲＣ接続設定メッセージにおいてノード識別子列を提供するステップと、ＲＲＣ接続設定メッセージを送信するステップとをさらに有してもよい。
【００１５】
本方法は、セルにおいて周期的に情報メッセージを同報するステップをさらに有し、同報された情報メッセージはＲＲＣ接続要求をトリガするように構成されてもよい。同報された情報メッセージは所定値のデータ・ビットのようなフラグを含んでもよい。
【００１６】
本方法は、別のセルからセルへのハンドオーバ手順の間にハンドオーバ命令メッセージにおいて端末へノード識別子列を提供するステップをさらに有してもよい。ノード識別子列は、セルのノードから別のセルのノードへのハンドオーバ要求確認メッセージに含めて受信され、その後に別のセルのノードから端末へ転送されてもよい。
【００１７】
本発明の別の側面で提供されるのは、無線アクセス・ネットワーク内の無線ネットワーク・アクセス・セルにアクセスする移動体端末において実装される、端末に関するセルの特性を示す方法であって、セルのネットワーク・アクセス・ノードから提供されたノード識別子であってセル内の端末に個別に適用可能なセル固有属性を示すノード識別子を受信するステップと、受信されたノード識別子を、端末のメモリ空間に事前に記憶されている端末固有のセル属性の集合に関連する事前に記憶されているノード識別子に一致させるステップとを有することを特徴とする方法である。
【００１８】
本方法は、受信されたノード識別子が事前に記憶されているノード識別子に一致する場合に、ネットワーク・アクセス・ノードからノード識別子列を取得するステップと、取得したノード識別子列を受信したノード識別子に関連付けるステップと、取得したノード識別子列を端末において用いるステップとをさらに有してもよい。
【００１９】
ネットワーク・アクセス・ノードからノード識別子列を取得するステップは、ノード識別子列を有するＲＲＣ接続設定メッセージを受信するステップを含んでもよい。
【００２０】
本発明のさらに別の側面で提供されるのは、通信ネットワークのアクセス・ノードであって、アクセス・ノードの無線セルの特性をセルにアクセスする移動体端末に示すことができ、セル内の端末に個別に適用可能なセル固有属性を示すノード識別子列をアクセス・ノードから端末へ提供するように構成されたことを特徴とするアクセス・ノードである。
【００２１】
本発明の更に別の側面で提供されるのは、通信ネットワーク内にあり、セルの特性を示すことができるネットワーク・アクセス・ノードの無線セルにアクセスする移動体端末であって、アクセス・ノードの無線セルの特性をセルにアクセスする移動体端末に示し、セルのネットワーク・アクセス・ノードから提供されるノード識別子列であって、セル内の端末に個別に適用可能なセル固有属性を示すノード識別子を受信し、端末のメモリ空間に事前に記憶されている端末固有のセル属性の集合に関連する事前に端末のメモリ内に記憶されているノード識別子と受信したノード識別子とを比較するように構成されたことを特徴とする移動体端末である。本端末は、ノード識別子列を取得するとともに、取得したノード識別子列を事前に記憶されているノード識別子に関連付ける。
【００２２】
本発明の上記側面は同一の実施形態において組合させてもよいことは言うまでもない。
【図面の簡単な説明】
【００２３】
【図１】本発明に係るネットワークを概略的に説明する。
【図２】本発明に係る装置を概略的に説明する。
【図３】本発明の一つの実施形態に係るＥ−ＵＴＲＡＮ（ＬＴＥ）についてのＲＲＣ接続確立手順をイベント図で概略的に説明する。
【図４】本発明の実施形態のフローチャートを概略的に説明する。
【図５】本発明の別のフローチャートを概略的に説明する。
【図６】本発明の別のフローチャートを概略的に説明する。
【発明を実施するための形態】
【００２４】
以下に添付の図面において説明された例示的な実施形態を参照しつつ、本発明を限定しない方法で詳細に記載する。
【００２５】
図１において、参照符号１０は総括的に通信アクセス・ネットワークを示し、この通信アクセス・ネットワーク内で本発明に係る解決策が用いられる。好適にはネットワークはＥ−ＵＴＲＡＮとしても知られているロングターム・エボリューション（ＬＴＥ）に準拠したネットワーク、すなわちパケット最適された無線アクセス・ネットワークである。しかしながら、ＧＳＭ又は３Ｇ広帯域符号分割多元接続（ＷＣＤＭＡ）ベースのネットワークのような他のネットワークの解決策が適用されてもよい。アクセス・ネットワークは、例えばインターネットのようなインターネット・プロトコル（ＩＰ）ベースのネットワークである何らかのインフラストラクチャと通信ネットワーク２とのうちの少なくとも何れかとのアクセスを、例えば移動体端末であるユーザ機器（ＵＥ）３に提供する基地局１又は同様の無線アクセス・ネットワーク・ゲートウェイを備える。ロングターム・エボリューション（ＬＴＥ）のコンセプトにおいて基地局はしばしば発展型ノードＢ（ｅＮＢ）と呼ばれ、３Ｇ  ＷＣＤＭＡにおいて基地局はノードＢ（ＮＢ）と呼ばれる。関与するインフラストラクチャ・ネットワーク構成と通信プロトコル（群）のタイプとに依存して、ＵＥとの通信を処理する他の装置及びユニットが存在してもよい。ｅＮＢは、無線接続で所定の地理的エリア（セル）４をカバーするように構成される。用いられる特定の通信プロトコル・アーキテクチャについて規定される制御・通信プロトコル・メッセージを用いてＵＥはｅＮＢに接続する。
【００２６】
本明細書の理解及び読解を容易にするために、ＮＢとｅＮＢとの両方を示すためにｅＮＢという用語が用いられるだろう。
【００２７】
ｅＮＢ１は背景技術に記載されたいわゆるホームｅＮＢ（ＨｅＮＢ）として構成されてもよい。ＨｅＮＢはクローズド加入者グループ（ＣＳＧ：Closed Subscriber Group）へサービスを提供してもよい。
【００２８】
ＣＳＧは、事業者の加入者のうち、地上波公共移動通信ネットワーク（ＰＬＭＮ）の一つ以上のＥ−ＵＴＲＡＮセルへアクセスすることを許可されるが、制限されたアクセスを有している加入者を識別する。これらのセルは「ＣＳＧセル」と呼ばれる。すべてのＣＳＧセルはシステム情報の一部として固有のＣＳＧアイデンティティ（identity）を同報する。ＣＳＧセルはこのＣＳＧアイデンティティについてのクローズド加入者グループのメンバーによってアクセス可能である。ＣＳＧアイデンティティは、関連するクローズド加入者グループの認可されたメンバーに対してアクセスを容易にするためにＵＥにより用いられる。各ＵＥはまたＣＳＧホワイトリストを含み、このリストはＵＳＩＭに記憶されていて、加入者が属する複数のＣＳＧセルのすべてのＣＳＧ  ＩＤを記憶するリストである。ＵＥは、ＣＳＧセルにおいて同報されたＣＳＧアイデンティティをＣＳＧホワイトリストの内容と比較することによって、個別のＣＳＧセルにアクセスすることが許容されるかどうかを判定できる。すなわち、同報されたＣＳＧアイデンティティがＣＳＧホワイトリストの一部である場合に、ＵＥはＣＳＧセルにアクセスしてもよい。
【００２９】
図２を参照して、ＨｅＮＢ２００は通信信号（制御信号とユーザ固有信号との両方）を処理するハードウェア又はソフトウェア命令を動作するように構成された少なくとも一つの処理ユニット２０１を備えてもよい。処理ユニットは命令の動作の間に揮発性メモリ・ユニット２０２と非揮発性メモリ・ユニット２０３とのうちの少なくとも何れかを用いてもよい。さらに、ＨｅＮＢは無線通信チャネル上のＵＥとの通信のための少なくとも一つの無線インタフェース２０４とインフラストラクチャ・ネットワークとの通信のための少なくとも一つのネットワーク通信インタフェース２０５とを備える。
【００３０】
本明細書で用いられるノード識別子（identifier）という用語は、ｅＮＢ識別子（ｅＮＢ−ＩＤ）、セル・アイデンティティ（ＣＩ）、ＣＳＧアイデンティティ（ＣＳＧ−ＩＤ）又はトラッキング・エリア（ＴＡ）アイデンティティ（ＴＡＩ）若しくはこれらの任意の組み合わせであってもよい。ノード識別子は通常はＨｅＮＢによりシステム情報の一部として同報されるが、専有モードでＵＥへ転送されてもよい。
【００３１】
個別のＵＥについて適用可能なセル固有属性は、ノード・アイデンティティ・テキスト列（string）と、セル・アイデンティティ・テキスト列と、料金表（tariff）データと、セル性能データと、例えば１以上の他のノード・ユーザへのローカル・スイッチングのようなアプリケーション又はサービス機能とのうちの少なくとも一つを有する。セル性能データは例えばセルのカバレッジ又はセルのスループットに関するデータを有していてもよい。本明細書の残り部分において、「ＨｅＮＢ識別子列」という用語は個別のＵＥについて適用可能な上述のセル固有属性の任意の組み合わせを表現するために用いられる。ＨｅＮＢ識別子列に対するより一般的な用語はノード識別子列である。
【００３２】
ＵＥがＨｅＮＢの使用を開始する際に、ネットワーク及びＨｅＮＢに関連する情報をＵＥに提供することが有利である。そして、セル・アクセスを通知するために、このセルのＨｅＮＢにキャンプする場合すなわち接続される場合に、コアネットワークから受信した取り得る列を支持して又はこれに連動して、テキスト又はデータのＨｅＮＢ識別子列を表示してもよい。
【００３３】
アイドル状態においてＵＥがＨｅＮＢセルのカバレッジに入る場合に、ＵＥは必ずしも何らかのシグナリングを実行しないかもしれず、従ってＨｅＮＢはＵＥに関して知らないかもしれず、ネットワークはＵＥにＨｅＮＢ識別子列を通知することができないかもしれないが、この問題は以下で対処される。
【００３４】
ＵＥがＨｅＮＢ識別子列を取得・表示するための取り得る方法について請求された本発明の範囲内で取り得る代替の実施形態が複数存在する。これらはさらに以下に説明される。
【００３５】
一つの実施形態では、ネットワークとネットワークへのアクセスを得るために用いられるＵＥとの間で用いられる無線リソース制御（ＲＲＣ）メッセージがＮｅＮＢ識別子列を提供するために改良される。
【００３６】
他の実施形態では、ＨｅＮＢからのシステム情報同報メッセージがＵＥへのＨｅＮＢ識別子列の提供をトリガする（trigger）ために改良される。
【００３７】
本発明の他の実施形態は、ＵＥのエンドユーザに、情報がＵＥに表示されるようにＵＥを構成する可能性を提供することを含む。
【００３８】
〔最初のＲＲＣアクティビティにおけるＨｅＮＢ識別子列の転送〕
本発明の一つの実施形態によれば、ＨｅＮＢ識別子列の転送の実装は、特定のＵＥに対してＨｅＮＢセルにおいて開始された最初のＲＲＣシグナリング・フローにＨｅＮＢ識別子列を含めてもよい。これは、ＵＥが最初にＨｅＮＢにおいてキャンプしていてもよいが、またＨｅＮＢ識別子列を表示していないかもしれないことを意味する。しかしながら、ベアラ又は呼の設定、ＳＭＳ送信／受信などによって引き起こされるような任意のＲＲＣアクティビティにおいてＨｅＮＢ識別子列が交換されてもよく、従ってユーザはその後に現在のセルのＨｅＮＢ識別子列に関して通知されてもよい。ＨｅＮＢから受信されたＨｅＮＢ識別子列はその後にこのセルにおける後続のキャンプのためにＵＥにおいてこのセルに関連付けられてもよく、従ってＲＲＣアクティビティなしに表示されてもよい。これは、現在のセルにおいて同報されたシステム情報として受信され、その後にＲＲＣレベルにおいて受信されたＨｅＮＢ識別子列をノード識別子に関連付けるノードアイデンティティ／識別子に基づく。事実上、これは、ノード・アイデンティティ情報と関連ＨｅＮＢ識別子列との間のマッピング又は比較テーブルをＵＥが維持することを意味する。すなわち、ＨｅＮＢセルへ再び入る際に、ＵＥは同報されたノード・アイデンティティを読み出して、ＨｅＮＢにキャンプしており、このノード・アイデンティティに関連付けられたＨｅＮＢ識別子列をマッピング・テーブルからエンドユーザに表示できることを、マッピング・テーブルの内容に基づいて知ってもよい。ＨｅＮＢ識別子列が変更された場合に、ＵＥとＵＥ内のマッピング・テーブルとは、次のＲＲＣアクティビティにおいて更新されてもよい。
【００３９】
図３は例としてＥ−ＵＴＲＡＮすなわちＬＴＥについてのＲＲＣ接続確立手順を示す。これは、ＨｅＮＢ識別子列（ＨｅＮＢ−ＩＤ）がＲＲＣ接続設定メッセージにおいてＨｅＮＢ３０２からＵＥ３０１へどのように伝達されてもよいかを示す。ＲＲＣ接続要求メッセージがＵＥからＨｅＮＢに送信される（３０３）。
【００４０】
応答として、（ＨｅＮＢ−ＩＤを有する）ＲＲＣ接続設定メッセージがＨｅＮＢからＵＥへ送信される（３０４）。ＵＥはＲＲＣ接続設定メッセージの内容を解析し、ＵＥに対するＨｅＮＢに関連するＵＥ内に記憶されたエントリと比較する。適切な情報がＵＥのディスプレイに示される。最後に、接続確立手順を終了するために、ＲＲＣ接続設定完了メッセージがＵＥからＨｅＮＢに送信される。
【００４１】
〔ＨｅＮＢセルでの到着におけるＨｅＮＢ識別子列の転送〕
本発明の別の実施形態は、ＨｅＮＢ識別子列の転送を促進するために必要なＲＲＣアクティビティをトリガすることを伴う。このような転送をトリガする一つの方法はＵＥがＨｅＮＢセルに入る際にＲＲＣシグナリングを強制することである。これは例えば、ＨｅＮＢセルにキャンプする場合にはいつもＴＡアップデート（ＴＡＵ）を実行するようにＵＥがトリガされることを意味するトラッキング・エリア（ＴＡ）アロケーションによってトリガされてもよい。ＴＡＵは常に前出の例について前述したようにＲＲＣ接続を確立することによって開始される。別の代替の実施形態では、「ＨｅＮＢセルへのアクセスが許可される場合にＲＲＣ確立を実行する」と解釈されてもよい「フラグ」又は同様の情報メッセージをシステム情報の一部として同報させてもよい。代替としてこのフラグは最も最適化された場合に、ＨｅＮＢ識別子列を読み出すためにＵＥはＲＲＣコネクションを確立するだけであり、その後にさらなる通信（例えばコアネットワークへの通信）は必要なく、ＲＲＣ接続が開放されることを意味する。さらに、ＵＥのユーザはＵＥと相互作用することによって、手動で転送をトリガしてもよい。
【００４２】
トラッキング・エリア・アップデート（ＴＡＵ）の強制がネットワーク・シグナリング以上を要求するかも知れず、ＴＡアロケーションの場合にオペレータによる追加のオペレーション・メンテナンス制御（Ｏ＆Ｍ）が必要となるかもしれないために、上記の最適化が好ましい。
【００４３】
図４に例示される手順は、許容されたＣＳＧセル（クローズド加入者グループ）における例を用いたＵＥ４０１によるＨｅＮＢ４０２への初期アクセスと、特定のＣＳＧセルについてのＣＳＧホワイトリストにおける列関連付け（association）の生成とのフローチャートを示す。ＵＥ４０１は、例えばＣＳＧ−Ｉｄ−５である自身のＣＳＧアイデンティティにより識別される例えば一つの許容されたＣＳＧを含むＣＳＧホワイトリスト４０３を有する。ＣＳＧに関連しているＨｅＮＢ識別子列はない。ＨｅＮＢはシステム情報メッセージ４０４を同報し、ＵＥはＨｅＮＢから同報されたシステム情報（すなわちＣＳＧ−ＩＤ−５）からＣＳＧアイデンティティを読み出す。ＣＳＧ−ＩＤ−５がＣＳＧホワイトリストに含まれると仮定すると、ＵＥはＣＳＧセルにキャンプすること（４０５）が許容される。
【００４４】
ＨｅＮＢへのＲＲＣ接続を確立するための任意の適切なトリガ（４０６）の際に、即時に又は後から生じてもよいが、ＲＲＣ接続要求メッセージ４０７がＵＥからＨｅＮＢへ送信される。応答として、ＨｅＮＢ識別子列、例えば｛”ＨｅＮＢ−５”｝を有するＲＲＣ接続設定メッセージ４０８がＨｅＮＢからＵＥへ送信される。
【００４５】
その後に、ＵＥは受信したＨｅＮＢ識別子列、例えば｛”ＨｅＮＢ−５”｝を、ホワイトリスト内の項目、例えばＣＳＧ−ＩＤ−５に関連付ける（４０９）。すなわち、ＨｅＮＢ識別列を用いてＣＳＧホワイトリストを更新する。ＵＥは、例えばＵＥのグラフィカル・ユーザ・インタフェース（ＧＵＩ）上で、受信したＨｅＮＢ識別子列をエンドユーザに表示する（４１０）。
【００４６】
ＵＥはＨｅＮＢへＲＲＣ接続設定完了メッセージを送信する（４１１）。
【００４７】
図５は許容されたＣＳＧセルへの連続したアクセスと、ＵＥ５０１とＨｅＮＢ５０２との間のＣＳＧホワイトリストにおける列関連付けの使用とのフローチャートを説明する。ＵＥ内のＣＳＧホワイト・リスト５０３は一つの許容されたＣＳＧ、例えば｛ＣＳＧ−ＩＤ−５，”ＨｅＮＢ−５”｝を有する。ＵＥはＨｅＮＢから同報されたシステム情報からＣＳＧアイデンティティ、例えばＣＳＧ−Ｉｄ−５を読み出す（５０４）。ＣＳＧ−Ｉｄ−５はＣＳＧホワイトリストに含まれており、ＵＥはＣＳＧセルにキャンプする（５０５）ことが許容される。ＵＥは、例えばＵＥのＧＵＩにおいて、ＣＳＧホワイトリストに記憶されたＨｅＮＢ識別子列をエンドユーザに表示する（５０６）。
【００４８】
〔ＵＥ内のＨｅＮＢ識別子列の提供〕
ノード・アイデンティティとＨｅＮＢ識別子列すなわちＵＥに表示されるテキスト列との間のマッピングを実行する代替の方法は、ＵＥが許容されたＨｅＮＢセルにいつキャンプするかを表示するようにＨｅＮＢ識別子列を有するＵＥを構成又はカスタマイズすることであってもよい。しかしながら、表示するＨｅＮＢ識別子列がＨｅＮＢの「オーナ」によって制御されることが可能であるべきである場合に、これはＵＥ内のＨｅＮＢ識別子列を更新することの付加的な機能とサポートとを必要としてもよい。
【００４９】
表示されるべきテキスト列すなわちＨｅＮＢ識別子列はシステム情報メッセージにおいて同報されたノード・アイデンティティに基づく。この場合に、ＵＥのユーザがこのノード・アイデンティティについての何らかのテキスト列を構成していたかどうかを確認するために、ＵＥはシステム情報メッセージからノード・アイデンティティを読み出す。
【００５０】
さらに本方法を改善して、エンドユーザが正しいＨｅＮＢについてのＨｅＮＢ識別子列を構成することを保証するために、すなわち複数のＨｅＮＢが付近にある場合のために、ＨｅＮＢに印刷された情報又はその他のようにエンドユーザに知らされた情報に同報されたノード・アイデンティティが基づく場合に有効であるかもしれない。例えば、シリアル番号がＨｅＮＢに印刷されてもよく、エンドユーザにこの情報を書面で提供してもよい。後者のオプションはまた、ＨｅＮＢが、必要なアイデンティティを提供するために汎用加入者識別モジュール（Ｕ）ＳＩＭカードを備える場合にも機能する。
【００５１】
〔アクティブ又は接続状態（ＲＲＣ＿ＣＯＮＮＥＣＴＥＤ）におけるＨｅＮＢ識別子列の処理〕
ＵＥがアクティブ状態にある場合に、本発明の一つの実施形態は、ＨｅＮＢ識別子列がハンドオーバ手順、例えばマクロ・レイヤからのハンドオーバ、ソースｅＮＢからターゲットＨｅＮＢへのハンドオーバ、又はソースＨｅＮＢからターゲットＨｅＮＢへのハンドオーバにより処理されてもよい。つまり、ＵＥがターゲットＨｅＮＢにハンドオーバされる場合に、ＨｅＮＢ識別子列が受信されてもよく、テキスト列がＵＥにおいて表示されてもよい。
【００５２】
図６は本実施形態の取り得る実装を示し、この実装において、ソースｅＮＢ／ＨｅＮＢ６０２はターゲットＨｅＮＢ６０３にハンドオーバ要求メッセージを送信し（６０５）、ターゲットＨｅＮＢは「トランスペアレント・コンテナ」内の情報要素としてＨｅＮＢ識別子列を提供し、ターゲットＨｅＮＢはハンドオーバ要求確認メッセージにおいて送信し（６０６）、そしてソースｅＮＢ／ＨｅＮＢは「トランスペアレント・コンテナ」情報要素（ＩＥ）をハンドオーバ命令メッセージにおいてＵＥへ転送する（６０７）ため、ＵＥは、新たなＨｅＮＢへのアクセスが完了する（６０８）とすぐに列を表示し始めてもよい（６０９）。
【００５３】
本発明のさらなる実施形態は、アクセス制御により受け入れられＨｅＮＢを用いるように許可されたＵＥへ送信されるようにＨｅＮＢのオーナ／管理者がＨｅＮＢ識別子列を構成することを伴ってもよい。
【００５４】
以下に、本発明の形態を例示する一覧を提供する。
【００５５】
本発明の一側面は、無線ネットワーク・ノードにおいて、ノードのセルの特性をこのセルにアクセスする移動体端末に示す方法に関する。セル内の端末に適用可能なセル固有属性を示すノード識別子列が端末に提供される。
【００５６】
本発明のこの側面の一つの実施形態によれば、ノード識別子列は、端末に適用可能なセル固有属性のうちの少なくとも一つを端末のユーザ・インタフェース上に表示することをトリガする。
【００５７】
これは、個別の無線セルへのアクセスとそのセルの詳細、例えば特別料金、カバレッジの範囲、ホーム・カバレッジ又はホットスポット・カバレッジのようなカバレッジの性質などとを移動体端末のユーザに通知するという利点を提供する。
【００５８】
本発明のこの側面の別の実施形態によれば、ノード識別子列は端末で用いられる属性のうちの少なくとも一つに適用されることをトリガする。
【００５９】
これは、セル固有属性と、セル及びトランザクションの特別料金／課金のようなこのセルへアクセスする端末にのみ有効又は利用可能な機能／サービスへの切り替えを促進するという利点を提供する。
【００６０】
本発明のこの側面のさらなる実施形態によれば、ＵＥ固有のセル属性は、ノード・アイデンティティ・テキスト列と、セル・アイデンティティ・テキスト列と、料金表データと、セル性能データと、１以上の他のノード・ユーザへのローカル・スイッチングのようなアプリケーション又はサービス機能とのうち少なくとも一つを有する。セルの性能データは例えばセルのカバレッジに関するデータを含んでもよい。
【００６１】
それによって、現在アクセスされるセルの属性、機能及びサービスに関する個別且つ広範囲に及ぶ情報が端末のユーザに利用可能になってもよい。
【００６２】
本発明のこの側面のさらに別の実施形態では、提供されるノード識別子列は端末からのＲＲＣ接続要求メッセージに続くＲＲＣ接続設定メッセージにおいて送信される。ＲＲＣ接続要求は、このセルにおいて周期的に同報される所定値のデータビットのようなフラグによってトリガされるか、ベアラ又は呼の設定、ＳＭＳ送信、ＳＭＳ受信などのような端末又はエンドユーザの相互作用によってトリガされるかのいずれかであってもよい。
【００６３】
これは、ノード識別子列を送信するために既存の通信チャネル及びプロトコルを利用することによってデータ通信を容易且つ最適化するという利点を提供する。
【００６４】
本発明のこの側面のさらに別の実施形態によれば、ノード識別子列はセルにおけるシステム情報ブロードキャストを介して同報されて提供される。
【００６５】
本発明のこの側面のさらに別の実施形態によれば、別のセル（ソース）からこのセル（ターゲット）へのハンドオーバ手順の間にハンドオーバ命令メッセージに含めてノード識別子列が端末へ送信されて提供される。識別子はセル（ターゲット）のノードから他のセル（ソース）のノードへのハンドオーバ要求確認メッセージに含められてそこで受信され、その後に他のセル（ソース）のノードから端末へ転送される。
【００６６】
本発明のこの側面のさらなる実施形態は、ノードがｅＮＢ又はＨｅＮＢのような基地局であることを含む。
【００６７】
本発明のこの側面のさらなる別の実施形態は、ノード識別子がノード・アイデンティティ・データと、セル・アイデンティティ・データと、ＣＳＧアイデンティティ・データと、トラッキング・エリア・アイデンティティ・データとのうちの少なくとも一つを有することを含む。
【００６８】
本発明の別の側面は、無線ネットワークセルへアクセスする移動体端末において実装される、端末に関するセルの特性を示すための方法に関する。セルのノードから提供される端末において受信されるノード識別子列は、このセル内の端末に適用可能なセル固有属性を示す。本発明のこの側面の一つの実施形態は、この端末のメモリ空間に事前に記憶されているセル固有属性の集合に関連するセル・インジケータとノード識別子とを比較することと、識別子に一致するインジケータのセル属性の表示と適用との少なくとも何れかとを含む。
【００６９】
これに関する利点は、移動体端末に適用されるセル属性のテキスト列をユーザが端末において個別にカスタマイズできることである。
【００７０】
本発明のこの側面の別の実施形態では、ノード識別子はセル属性のデータを有し、この属性は受信された後に端末上に少なくとも表示される。
【００７１】
本発明のこの側面のさらに別の実施形態では、属性のうちの少なくとも一つは端末で用いるために手動で選択可能である。
【００７２】
本発明に係る方法に関して上述された特徴は、本方法に関連して記載された同じ利点を有する本発明に係る装置において実装されてもよいし適用可能である。
【００７３】
「備える（comprising）」という用語はリストされた以外の要素又はステップの存在を除外せず、一つの要素に先行する「一つの（a又はan）」という用語は複数のこのような要素を除外しないことに留意されたい。さらに、いかなる参照符号も請求の範囲を制限せず、複数の「手段」、「ユニット」又は「装置」はハードウェアの同一の項目によって表現されてもよく、本発明の少なくとも一部はハードウェア又はソフトウェアのいずれかで実装されてもよいことに留意されたい。
【００７４】
上述の実施形態は単に例として与えられ、本発明を制限すべきではない。以下の特許請求の範囲で請求される発明の範囲内にある他の解決策、使用、目的及び機能が当業者に明らかであるべきである。
【図１】
0005432144.tif 000002
【図２】
0005432144.tif 000003
【図３】
0005432144.tif 000004
【図４】
0005432144.tif 000005
【図５】
0005432144.tif 000006
【図６】
0005432144.tif 000007